(57)【要約】本発明は冷却水による腐食、スケール及び微生物成長を同時に抑制できるので、使用がより簡便であり、保存安全性が優秀な冷却塔水処理剤組成物を提供するために、アゾール系化合物及びカルボン酸塩を含む混合物、正リン酸塩及び亜鉛塩からなる群から選ばれる一つ以上の物質、微生物成長抑制剤、スケール形成防止剤、有機ホスホン酸塩及び硝酸塩を含む多機能性水処理剤組成物を提供する。ここで、前記微生物成長抑制剤としては３−イソチアゾリノンを使用し、前記スケール形成防止剤としてはアクリレート系重合体を使用するのが望ましい。【特許請求の範囲】
【請求項１】
アゾール系化合物及びカルボン酸塩を含む混合物、正リン酸塩及び亜鉛塩からなる群から選ばれる一つ以上の物質、微生物成長抑制剤、スケール形成防止剤、有機ホスホン酸塩及び硝酸塩を含むことを特徴とする、多機能性水処理剤組成物。
【請求項２】
前記微生物成長抑制剤は３−イソチアゾリノン、前記スケール形成防止剤はアクリレート系重合体であることを特徴とする、請求項１に記載の多機能性水処理剤組成物。
【請求項３】
前記３−イソチアゾリノンは下記化１で示す化合物、前記アクリレート系重合体は下記化２で示す重合体であることを特徴とする、請求項２に記載の多機能性水処理剤組成物。
【化１】
2004513102.tif 000019
【化２】
2004513102.tif 000020
前記化１においてＲ０は水素または塩素であり、前記化２においてｌ、ｍ、ｎは互いに同一または相違なもので、各々０乃至１０００の整数であり、Ｒは水素、メチルまたはカルボキシル基であって、Ｒがカルボキシル基の場合には隣接しているカルボキシル基と結合して無水のリング（ａｎｈｙｄｒｏｕｓ ｒｉｎｇ）を形成でき、Ｒ１とＲ８は互いに同一または相違なもので、各々水素、アルキル基、ヒドロキシ基またはホスホノ基を示し、Ｒ２とＲ３は互いに同一または相違なもので、各々水素またはＣ１−Ｃ２のアルキル基を示し、Ｒ４は水素またはＣ１−Ｃ５のアルキル基を示し、Ｒ５はＣ１−Ｃ８のアルキル基またはＣ８−Ｃ１０のアルアルキル基を示し、Ｘ及びＹは互いに同一または相違なもので、各々水素、Ｃ１−Ｃ５のアルキル基またはＣ１−Ｃ５のヒドロキシアルキル基を示す。また、前記式でＲ０は下記の化３、４及び５から選ばれる一つ以上の基を含む。
【化３】
2004513102.tif 000021
【化４】
2004513102.tif 000022
【化５】
2004513102.tif 000023
前記化学式において、Ｒ６及びＲ１２は互いに同一または相違なもので、各々水素またはＣ１−Ｃ２のアルキル基を示し、Ｒ１３及びＲ１４は互いに同一または相違なもので、水素、Ｃ１−Ｃ８のアルキル基、Ｃ６−Ｃ８のシクロアルキル基、ベンジル基または下記化６の基を示し、Ｒ７はＣ１−Ｃ６のアルキル基、Ｃ６−Ｃ１０のアルアルキル基または化６の基を示す。
【化６】
2004513102.tif 000024
前記化６において、ｉは１、２または３、Ｒ９は水素またはＣ１−Ｃ２のアルキル基、Ｒ１０は水素またはＣ１−Ｃ６のアルキル基を示す。
【請求項４】
前記３−イソチアゾリノンは、２−メチル−４−イソチアゾロン−３−オンと５−クロロ−２−メチル−４−イソチアゾロン−３−オンとが１：２０乃至２０：１の重量比率で混合されていることを特徴とする、請求項３に記載の多機能性水処理剤組成物。
【請求項５】
前記アゾール系化合物は、ベンゾトリアゾール、トリルトリアゾール、メルカプトベンゾチアゾールであることを特徴とする、請求項１に記載の多機能性水処理剤組成物。
【請求項６】
前記カルボン酸塩は炭素数３乃至１２のカルボン酸塩化合物からなる群から選ばれる一つ以上の化合物であることを特徴とする、請求項１に記載の多機能性水処理剤組成物。
【請求項７】
前記正リン酸塩はリン酸であることを特徴とする、請求項１に記載の多機能性水処理剤組成物。
【請求項８】
前記亜鉛塩は、塩化亜鉛、硫酸亜鉛及び硝酸亜鉛からなる群から選ばれる一つ以上の化合物であることを特徴とする、請求項１に記載の多機能性水処理剤組成物。
【請求項９】
前記有機ホスホン酸塩は、ヒドロキシエチリデンジホスホン酸、ヒドロキシホスホノカルボン酸、アミノトリメチレンホスホン酸、ホスホノブタントリカルボン酸及びエチレンジアミンテトラメチリジンホスホン酸からなる群から選ばれる一つ以上の化合物であることを特徴とする、請求項１に記載の多機能性水処理剤組成物。
【請求項１０】
前記硝酸塩は、硝酸マグネシウム及び硝酸銅からなる群から選ばれる一つ以上の化合物であることを特徴とする、請求項１に記載の多機能性水処理剤組成物。
【請求項１１】
前記微生物成長抑制剤の含量は０．０５乃至１５重量％、スケール形成防止剤の含量は０．５乃至５０重量％、前記有機ホスホン酸塩の含量は有機ホスホン酸塩イオンを基準として０．２乃至３０重量％、前記アゾール系化合物の含量は０．０１乃至１０重量％、前記カルボン酸塩の含量はカルボン酸塩化合物濃度基準として０．２乃至４０重量％、前記硝酸塩の含量は硝酸イオンを基準として０．０２乃至２０重量％であることを特徴とする、請求項１に記載の多機能性水処理剤組成物。
【請求項１２】
前記微生物成長抑制剤の含量は０．０５乃至１５重量％、スケール形成防止剤の含量は０．５乃至５０重量％、前記有機ホスホン酸塩の含量は有機ホスホン酸塩イオンを基準として０．２乃至３０重量％、前記正リン酸塩及び／または亜鉛塩の含量は正リン酸イオン及び亜鉛イオンの総量を基準として０．１乃至３０重量％、前記硝酸塩の含量は硝酸イオンを基準として０．０２乃至２０重量％であることを特徴とする、請求項１に記載の多機能性水処理剤組成物。
【請求項１３】
アゾール系化合物及びカルボン酸塩を含む混合物、正リン酸塩及び亜鉛塩からなる群から選ばれる一つ以上の物質、微生物成長抑制剤、スケール形成防止剤、有機ホスホン酸塩及び硝酸塩を含む多機能性水処理剤組成物を冷却水系に投入する工程を含むことを特徴とする、水処理方法。
【請求項１４】
前記水処理剤組成物の濃度が１ｐｐｍ〜５００，０００ｐｐｍになるように冷却水系に投入することを特徴とする、請求項１３に記載の水処理方法。
【発明の詳細な説明】
【０００１】
【発明の属する技術分野】
本発明は多機能性水処理剤組成物及びこれを利用した水処理方法に関し、より詳しくは、水を利用した開放循環冷却システムで発生し得る腐食、スケール及び微生物成長を同時に抑制できるだけでなく、製品の保管または使用中にも安定な水処理剤組成物に関する。
【０００２】
【従来の技術】
開放循環冷却システムでは冷却塔という装置を利用して冷却水の温度を調節する。冷却塔を利用した水温調節システムは空気が常に流入するので、開放循環冷却システムといい、冷却水の再使用過程において、水の蒸発によって水中に含まれた各種ミネラルが濃縮され、使用水の処理方法によって冷却作用に影響を及ぼすような多様な現象が発生する。このような現象は大きく腐食、スケール、微生物による問題に分類できる。
【０００３】
腐食とはわかり易く言えば金属材質に錆が生じるものである。一般的に、金属は酸化物状態で存在したものを精製した物質なので、熱力学的に安定な酸化物状態に戻ろうという性質が非常に強い。したがって、開放循環冷却システムにおける腐食は当然のことである。
【０００４】
スケールとは金属表面に腐食による堆積物や水質内に存在する多様な２価金属イオンが陰イオン系化学物質などと結合して生成されるもので、冷却水の温度の上昇によって金属塩の溶解度が減少するので、開放循環冷却システム中では冷凍機や熱交換器のように熱負荷によって高温の所でスケールがよく発生する。スケールが激しくなれば、配管閉塞及び伝熱効率低下によってエネルギーの浪費を引き起こす。
【０００５】
バクテリア、かび、苔類などの微生物は周辺環境変化によって繁殖の程度が違う。残念ながら、冷却塔内の水の温度、ｐＨ、溶存酸素、ミネラル、光などの周辺環境から見れば、微生物の繁殖には極めて良い条件である。このような環境中で繁殖した微生物が互いに縺れて冷却塔の充填剤に付着していれば、水と空気の流れを妨害して冷却効率を低下させる。冷却塔充填剤に付着している微生物の塊りをスライムといい、このようなスライムが金属配管の表面に付着していれば、微生物による腐食や下部腐食などの局部腐食が発生する。
【０００６】
実際の産業現場に設置された冷却空調の熱交換器をはじめとして水配管を使用した各種産業用設備で非常によく腐食、スケール及びスライムの発生を発見できるが、このような場合、冷却循環システムの寿命短縮、伝熱効率低下、細菌による感染、環境汚染などの深刻な問題を引き起こして、莫大な経済的損失を発生させる。
【０００７】
このような問題点を克服するために、従来より多様な水処理剤が開発されてきたが、既存の水処理剤プログラムは、腐食防止剤、スケール防止剤、微生物防止剤を各々別に投入して水処理を行うもので、一製品の投入としては腐食、スケール及び微生物成長に関連した問題を全部解決し難い。例えば、スケール抑制剤をまず投入して冷却水内のスケール形成を抑制後、微生物防止剤を投入して水処理を行う方法が一般的であった。このように個別的な効能を持つ水処理剤の例として、米国特許第４，１３４，９５９号にアゾール系化合物とリン酸塩を利用した水処理剤組成物が記載されており、米国特許第５，２２７，１３３号に亜鉛塩、モリブデン酸塩、リン酸塩の組成物による冷却水処理技術が開示されており、米国特許第５，１５６，６６５号に微生物防止処理技術が開示されている。
【０００８】
【発明が解決しようとする課題】
しかしながら、腐食及びスケールの防止機能付き水処理剤組成物では微生物防止機能が弱く、微生物防止組成物では腐食及びスケールの防止機能を期待し難いので、水処理剤の使用が制限的で、水処理を行う為に管理者が水の状態によって多様な水処理剤を適切に投入すべきである等、管理上の問題点があった。このように、腐食防止剤、スケール防止剤及び微生物防止剤が各々別に開発された理由は、これらを一製品で混合する場合に相互間の相溶性（ｃｏｍｐａｔｉｂｉｌｉｔｙ）が不足して沈殿を形成する等、製品の安全性が低下し、各々の化合物が持つ効果を円滑に発揮できないためである。
【０００９】
したがって、本発明者らは前記問題点を解決するために、数年間研究を重ねた結果、保管及び使用時に製品安全性が優れ、開放循環冷却システムにおける腐食、スケール及び微生物成長に関連した問題を同時に解決できる水処理剤組成物を開発することになった。よって、本発明の目的は、従来の水処理剤とは異なり、腐食、スケール及び微生物発生の問題を同時に抑制でき、使用しやすい冷却塔水処理剤組成物及びこれを利用した水処理方法を提供することにある。また、本発明の目的は成分化合物相互間の相溶性が優れた製品の保管及び使用時にも安定な水処理剤組成物及びこれを利用した水処理方法を提供することにある。
【００１０】
【課題を解決するための手段】
前記目的を達成するために、本発明は、アゾール系化合物及びカルボン酸塩を含む混合物、正リン酸塩及び亜鉛塩からなる群から選ばれる一つ以上の物質、微生物成長抑制剤、スケール形成防止剤、有機ホスホン酸塩及び硝酸塩を含む一液型多機能性水処理剤組成物を提供する。ここで、前記微生物成長抑制剤としては３−イソチアゾリノン、前記スケール形成防止剤としてはアクリレート系重合体を使用するのが望ましい。また、前記水処理剤組成のうち、微生物成長抑制剤の含量は０．０５乃至１５重量％、スケール形成防止剤の含量は０．５乃至５０重量％、前記有機ホスホン酸塩の含量は有機ホスホン酸塩イオン基準として０．２乃至３０重量％、前記硝酸塩の含量は硝酸イオンを基準として０．０２乃至２０重量％であるのが望ましい。また、前記正リン酸塩及び／または亜鉛塩が含まれる場合、前記正リン酸塩及び／または亜鉛塩の含量は正リン酸イオン及び亜鉛イオンの総量を基準として０．１乃至３０重量％であり、前記アゾール系化合物及びカルボン酸塩を含む混合物が含まれる場合、アゾール系の含量は０．０１乃至１０重量％、カルボン酸塩はカルボン酸塩化合物濃度基準として０．２乃至４０重量％であるのが望ましい。
【００１１】
また、本発明は、アゾール系化合物及びカルボン酸塩を含む混合物、正リン酸塩及び亜鉛塩からなる群から選ばれる一種以上の物質、微生物成長抑制剤、スケール形成防止剤、有機ホスホン酸塩及び硝酸塩を含む多機能性水処理剤組成物を冷却水系に投与する工程を含む、腐食、スケール及び微生物抑制などの水処理方法を共に提供する。
【００１２】
以下、本発明をより詳細に説明すれば次の通りである。
本発明の水処理剤組成物に使用される微生物成長抑制剤としては通常のものを広く使用するが、下記の化７の３−イソチアゾリノンを使用すれば、共に使用されるスケール形成防止剤、有機ホスホン酸塩、アゾール系化合物、カルボン酸塩、正リン酸塩、亜鉛塩などの他成分との相溶性が優れ、広範囲の微生物に対する阻害効果があり、持続力も優れるため、望ましい。
【００１３】
【化７】
2004513102.tif 000002
（前記化７において、Ｒ０は水素または塩素である。）
具体的には、前記化７において、Ｒ０基が水素である２−メチル−４−イソチアゾロン−３−オンまたはＲ０基が塩素である５−クロロ−２−メチル−４−イソチアゾロン−３−オンを使用すれば望ましく、２−メチル−４−イソチアゾロン−３−オンと５−クロロ−２−メチル−４−イソチアゾロン−３−オンとが１：２０乃至２０：１の重量比率で混合されているものを使用すればより望ましい。本発明の水処理剤組成物のうち、前記化７の３−イソチアゾリノンの含量は全体組成物対比０．０５乃至１５重量％であるのが望ましく、前記３−イソチアゾリノンの含量が０．０５重量％未満の場合は殺菌効果が低下し、１５重量％を超過すれば殺菌効果は良いが経済的でない。
【００１４】
本発明の水処理剤組成物に使用されるスケール形成防止剤としては通常のものを広く使用するが、下記の化８のアクリレート系重合体を使用すれば微生物成長抑制剤、有機ホスホン酸塩、アゾール系化合物、カルボン酸塩、正リン酸塩、亜鉛塩などとの相溶性が優れ、特に２価金属塩のスケール抑制効果が優れる。
【００１５】
【化８】
2004513102.tif 000003
前記化８において、ｌ、ｍ、ｎは互いに同一または相違なもので、各々０乃至１０００の整数である。Ｒは水素、メチルまたはカルボキシル基であって、Ｒがカルボキシル基の場合には隣接しているカルボキシル基と結合して無水のリング（ａｎｈｙｄｒｏｕｓ ｒｉｎｇ）を形成でき、Ｒ１とＲ８は互いに同一または相違なもので、各々水素、アルキル基、ヒドロキシ基またはホスホノ基を示し、Ｒ２とＲ３は互いに同一または相違なもので、各々水素またはＣ１−Ｃ２のアルキル基を示し、Ｒ４は水素またはＣ１−Ｃ５のアルキル基を示し、Ｒ５はＣ１−Ｃ８のアルキル基またはＣ８−Ｃ１０のアラルキル基を示し、Ｘ及びＹは互いに同一または相違なもので、各々水素、Ｃ１−Ｃ５のアルキル基またはＣ１−Ｃ５のヒドロキシアルキル基を示す。また、前記式でＲ０は下記の化９、１０及び１１から選ばれる一つ以上の基を含む。
【００１６】
【化９】
2004513102.tif 000004
【化１０】
2004513102.tif 000005
【化１１】
2004513102.tif 000006
前記化学式において、Ｒ６及びＲ１２は互いに同一または相違なもので、各々水素またはＣ１−Ｃ２のアルキル基を示し、Ｒ１３及びＲ１４は互いに同一または相違なもので、水素、Ｃ１−Ｃ８のアルキル基、Ｃ６−Ｃ８のシクロアルキル基、ベンジル基または下記化１２の基を示し、Ｒ７はＣ１−Ｃ６のアルキル基、Ｃ６−Ｃ１０のアラルキル基または化１２の基を示す。
【００１７】
【化１２】
2004513102.tif 000007
前記化１２において、ｉは１、２または３、Ｒ９は水素またはＣ１−Ｃ２のアルキル基、Ｒ１０は水素またはＣ１−Ｃ６のアルキル基を示す。
【００１８】
本発明の水処理剤組成物のうち、前記アクリレート系重合体の含量は０．５乃至５０重量％であるのが望ましく、もし、アクリレート系重合体の含量が０．５重量％未満であればスケール抑制能力が低下し、５０重量％を超過すればスケール抑制効果は良いが経済的でない。
【００１９】
本発明の水処理剤組成物では、各成分相互間の相溶性及び腐食防止性能を増加させるために、アゾール系化合物及びカルボン酸塩を含む混合物、正リン酸塩及び亜鉛塩からなる群から選ばれる一つ以上の物質をさらに含む。
【００２０】
前記アゾール系化合物としては、ベンゾトリアゾール、トリルトリアゾール、メルカプトベンゾチアゾールを単独または混合して使用でき、ベンゾトリアゾールを使用すれば特に望ましい。カルボン酸塩は炭素数３乃至１２のカルボン酸塩化合物を単独または混合して使用でき、クエン酸塩を使用すれば特に望ましい。全体水処理剤組成物のうち、前記アゾール系化合物の含量は、アゾール系化合物の総含量が０．０１乃至１０重量％であるのが望ましく、アゾール系化合物の含量が０．０５乃至８重量％の範囲にあるのがより望ましい。もし、アゾール系化合物の含量が０．０１重量％未満であれば腐食防止効果が低下し、１０重量％を超過すれば経済的でない。カルボン酸塩の含量はカルボン酸塩化合物の総含量を基準として０．２乃至４０重量％であるのが望ましく、カルボン酸塩化合物の含量が０．５乃至３０重量％の範囲にあるのがより望ましい。もし、カルボン酸塩化合物の含量が０．２重量％未満であれば腐食防止効果が低下し、４０重量％を超過すれば経済的でない。
【００２１】
前記正リン酸塩としては、第１リン酸塩、第２リン酸塩、第３リン酸塩またはリン酸を単独または混合して使用でき、特にリン酸を使用すれば望ましい。亜鉛塩としては、塩化亜鉛、硫酸亜鉛、硝酸亜鉛などを単独または混合して使用できる。全体水処理剤組成物のうち、前記正リン酸塩及び／または亜鉛塩の含量は、各イオンの総含量を基準として（即ち、正リン酸イオン及び亜鉛イオンの総含量が）０．１乃至３０重量％であるのが望ましく、亜鉛イオンの含量が０．１乃至２０重量％、正リン酸イオンの含量が０．５乃至３０重量％の範囲にあるのがより望ましい。もし、亜鉛イオンの含量が０．１重量％未満であれば腐食防止効果が低下し、２０重量％を超過すれば廃水排出時魚貝類に悪影響を誘発させる恐れがあり、正リン酸イオンの含量が０．５重量％未満であれば腐食防止効果が低下し、３０重量％を超過すればリン酸カルシウムスケールを誘発させる恐れがある。
【００２２】
本発明に使用される有機ホスホン酸塩としては、ヒドロキシエチリデンジホスホン酸、ヒドロキシホスホノカルボン酸、アミノトリメチレンホスホン酸、ホスホノブタントリカルボン酸、エチレンジアミンテトラメチリジンホスホン酸などを使用でき、全体水処理剤組成物のうち、有機ホスホン酸の含量は有機ホスホン酸イオンを基準として０．２乃至３０重量％であるのが望ましい。もし、イオンの含量が０．２重量％未満であれば腐食及びスケールの防止効果が低下し、３０重量％を超過すれば経済的でない。
【００２３】
本発明に使用される硝酸塩は、微生物成長抑制剤、スケール形成防止剤、有機ホスホン酸、アゾール系化合物及びカルボン酸塩を相溶化させるだけでなく、保存安全性を向上させるもので、硝酸マグネシウムや硝酸銅などを使用できる。本発明の水処理剤組成物のうち、硝酸塩の含量は硝酸イオンを基準として０．０２乃至２０重量％であるのが望ましい。もし、硝酸イオンの含量が０．０２重量％未満であれば腐食防止効果及び製品保存安定効果が低下し、２０重量％を超過すれば経済的でない。
【００２４】
本発明の水処理剤組成物は、処理したい冷却水などの水に１ｐｐｍ〜５００，０００ｐｐｍの濃度で希薄溶解させて使用するのが望ましい。本発明の水処理剤組成物は、冷却塔、熱交換器をはじめとして各種産業用水配管で発生し得る腐食及びスケールを防止するのにより効果的なので、開放循環冷却システム及び多様な冷却システムに使用することができる。中でも腐食性が高くて微生物問題が深刻な開放循環冷却システムの水処理剤として使用するのがより望ましい。
【００２５】
【実施の形態】
以下、本発明の実施例により詳細に説明するが、下記実施例によって本発明が限定されるものではない。
【００２６】
［実施例１−３及び比較例１−３］
アゾール系化合物、カルボン酸塩、正リン酸塩、亜鉛塩、アクリレート共重合体、有機ホスホン酸塩、イソチアゾリノンまたは硝酸塩を混合した水処理剤組成物を溶解させて、試験水質中の各有効成分の含量が表１及び２（実施例１乃至９）と表３及び４（比較例１乃至６）のようになるようにした後、腐食抑制、スケール形成抑制及び微生物生長抑制の試験を実施した。
【００２７】
【表１】
2004513102.tif 000008
【表２】
2004513102.tif 000009
【表３】
2004513102.tif 000010
【表４】
2004513102.tif 000011
【００２８】
前記表１乃至４において、有機ホスホン酸塩はヒドロキシエチリデンジホスホン酸［ＨＥＤＰ（ＬＯＮＺＡ社）］、アクリレート共重合体はＦＭＣ社の商品であるＢｅｌｃｌｅｎｅ ４００、イソチアゾリノンはＳＫケミカル社の商品であるＳＫＹＢＩＯ ＷＧを使用した。また、アゾール系化合物はベンゾトリアゾール、カルボン酸塩はクエン酸塩を使用した。正リン酸イオン、亜鉛イオン及び硝酸イオンを形成するための塩としてはリン酸、塩化亜鉛及び硝酸マグネシウムを各々使用した。
【００２９】
イ．腐食試験
回転腐食測定器（Ｒｏｔａｔｉｎｇ ｃｏｒｒｏｓｉｏｎ ｔｅｓｔｅｒ）を使用して腐食試験を実施した。温度３０℃、１０ｍｌ／ｍｉｎの空気注入状態で、炭素鋼試験片を回転速度１７０ｒｐｍで回転させて炭素鋼の腐食速度を測定した。このとき、次の表５の試験水質に、表１及び２の本発明の水処理剤成分並びに表３及び４の比較例の水処理剤成分の各濃度を維持させて５日間浸漬させ、炭素鋼の重さ減量に伴う腐食速度［ｍｄｄ，ｍｇ／（ｄｍ２・ｄａｙ）］を測定して表６に示した。
【００３０】
【表５】
2004513102.tif 000012
前記試験水質において、ｐＨは０．１Ｎ水酸化ナトリウム水溶液と０．０５Ｎ硫酸水溶液、カルシウム硬度は塩化カルシウム、Ｍ−アルカリ度は重炭酸ナトリウム、マグネシウム硬度は硫酸マグネシウム、塩素イオン含量は塩化ナトリウムで各々調節した。総硬度はカルシウム硬度とマグネシウム硬度との合計を示す。
【００３１】
【表６】
2004513102.tif 000013
前記表６から分かるように、比較例１−３に比べて実施例１乃至３の組成物の腐食防止効果が優れ、正リン酸塩、亜鉛塩または有機ホスホン酸塩を単独で投入した比較例４−６に比べて実施例４乃至９の組成物の腐食防止効果が優れるため、本発明の一液型多機能性水処理剤組成物が混合された状態でも安定で、腐食防止効果も優れるのが分かる。
【００３２】
ロ．スケール形成抑制試験
テスト溶液を密閉させて７５℃で２４時間放置後、０．４５μｍのフィルターでろ過し、この時の総硬度を測定してスケール抑制率を測定した。試験水質は次の表７の通りであり、この試験水質に、表１及び２の本発明の水処理剤成分並びに表３及び４の比較例の水処理剤成分の各濃度を維持させて試験し、次の数１によってスケール抑制率を計算してその結果を表８に示した。
【数１】
2004513102.tif 000014
前記式において、Ｃｔは試験前の試験液中の総硬度、Ｃｅは試験後の試験液中の総硬度を示す。
【００３３】
【表７】
2004513102.tif 000015
前記表７の試験水質において、カルシウム硬度は塩化カルシウム、Ｍ−アルカリ度は重炭酸ナトリウム、塩素イオンは塩化ナトリウムで各々調節した。
【００３４】
【表８】
2004513102.tif 000016
前記表８から分かるように、本発明による実施例１乃至９のスケール抑制率が比較例１乃至６の場合よりも優れる。
【００３５】
ハ．微生物抑制試験
温度３０℃、１７０ｒｐｍ、１０ｍｌ／ｍｉｎの空気注入状態で、微生物８種（Ｅｎｔｅｒｏｂａｃｔｅｒ ａｅｒｏｇｅｎｓ ＡＴＣＣ １３０４８， Ｅｓｃｈｅｒｉｃｈｉａ ｃｏｌｉ ＡＴＣＣ １１２２９， Ｍｉｃｒｏｃｏｃｃｕｓ ｌｕｔｅｕｓ ＡＴＣＣ ９３４１， Ｐｓｅｕｄｏｍｏｎａｓ ａｅｒｕｇｉｎｏｓａ ＡＴＣＣ １５４４２， Ｋｌｅｂｓｉｅｌｌａ ｐｎｅｕｍｏｎｉａｅ ＡＴＣＣ １５６０， Ｓｔａｐｈｙｌｏｃｏｃｃｕｓ ｅｄｉｄｅｒｍｉｓ ＡＴＣＣ １５５， Ｓｔａｐｈｙｌｏｃｏｃｃｕｓ ａｕｒｅｕｓ ＡＴＣＣ ６５３８， Ｂａｃｉｌｌｕｓ ｓｕｂｔｉｌｉｓ ＡＴＣＣ ６９８４の８種）の混合液を注入して２日後の微生物の濃度減少を測定した。このとき、微生物混合液を１０６ＣＦＵ／ｍｌで製造後、次の表９の試験水質に微生物の濃度を１０５ＣＦＵ／ｍｌになるように投入後、表１及び２の実施例１−９の組成物並びに表３及び４の比較例１−６の組成物を各濃度で維持させて微生物抑制量を試験し、その結果を表１０に示した。
【００３６】
【表９】
2004513102.tif 000017
【００３７】
【表１０】
2004513102.tif 000018
前記表１０から分かるように、本発明による実施例１乃至９の水処理剤組成物を使用した場合は、微生物成長抑制剤を単独で使用したり他の１種の物質と混合して使用する場合に比べて、微生物抑制率が非常に高いので、本発明の多機能性水処理剤組成物が混合された状態でも安定で、微生物抑制効果も上昇するのが分かる。
【００３８】
前記試験結果から見れば、本発明による開放循環冷却システム用水処理剤組成物は、金属の腐食防止機能、スケール生成防止機能及び微生物殺菌効果が互いに上乗的に向上し、使用及び保存安全性が優れるのが分かる。
【００３９】
【発明の効果】
本発明の水処理剤組成物は、持続殺菌力があり、濃縮が発生する開放循環冷却システムにおける全ての微生物に対する殺菌効果が優れ、腐食反応中陽極反応と陰極反応とも防止する機能を持つので、金属表面で発生し得る腐食条件を最大限縮小させて優れた防食効果を期待できる。また、アクリレート共重合体と有機ホスホン酸塩が２価金属塩スケールの結晶構造を変換してスケール形成を抑制するので、腐食、スケール及び微生物に関連した問題点を同時に解決できる。
【国際公開パンフレット】
2004513102.tif 000025
2004513102.tif 000026
2004513102.tif 000027
2004513102.tif 000028
2004513102.tif 000029
2004513102.tif 000030
2004513102.tif 000031
2004513102.tif 000032
2004513102.tif 000033
2004513102.tif 000034
2004513102.tif 000035
2004513102.tif 000036
2004513102.tif 000037
2004513102.tif 000038
2004513102.tif 000039
2004513102.tif 000040
2004513102.tif 000041
2004513102.tif 000042
2004513102.tif 000043
2004513102.tif 000044
2004513102.tif 000045
2004513102.tif 000046
2004513102.tif 000047
2004513102.tif 000048
2004513102.tif 000049
2004513102.tif 000050
2004513102.tif 000051
2004513102.tif 000052
【国際調査報告】
2004513102.tif 000053
2004513102.tif 000054